(57)【要約】      （修正有）【課題】通常使用時には開口部を強固に閉塞する一方、出入り等の必要時には開口部を容易に開放することができるカーテンの提供。【解決手段】開口部２に左右一対のシート３，４を接離自在に設けて開口部２を開閉可能とするためのカーテン１において、各シート３，４の端縁に複数の上下に伸延させた棒状の磁石１０，１１を上下に並べて配置するとともに、各シート３，４の端縁を上下に並べた磁石１０，１１の間で屈曲可能とし、左右のシート３，４に設けた磁石１０，１１の引力で左右のシート３，４を接合させて開口部２を閉塞する。また、左右のシート３，４に設けた磁石１０，１１を、互いに対向させた平板部と、平板部に直交させた梁部とで断面Ｔ字状に形成する。また、上下に並べた磁石１０，１１の間に、シート３，４を開放状態に固定する固定具２０，２１に連結するための連結具１３，１５を設ける。【選択図】図１
2014151011.tif 000002
【特許請求の範囲】
【請求項１】
開口部に左右一対のシートを接離自在に設けて開口部を開閉可能とするためのカーテンにおいて、
各シートの端縁に複数の上下に伸延させた棒状の磁石を上下に並べて配置するとともに、各シートの端縁を上下に並べた磁石の間で屈曲可能とし、左右のシートに設けた磁石の引力で左右のシートを接合させて開口部を閉塞することを特徴とするカーテン。
【請求項２】
左右のシートに設けた磁石を、互いに対向させた平板部と、平板部に直交させた梁部とで断面Ｔ字状に形成したことを特徴とする請求項１に記載のカーテン。
【請求項３】
上下に並べた磁石の間に、シートを開放状態に固定する固定具に連結するための連結具を設けたことを特徴とする請求項１又は請求項２に記載のカーテン。
【発明の詳細な説明】
【技術分野】
【０００１】
本発明は、開口部に左右一対のシートを接離自在に設けて開口部を開閉可能とするためのカーテンに関するものである。
【背景技術】
【０００２】
従来より、カーテンは、建屋の窓や出入口などの開口部に左右一対のシートが互いに接離自在に設けられ、左右のシートの端縁同士を離反させることで開口部を開放する一方、左右のシートの端縁同士を近接させることで開口部を閉塞する。
【０００３】
一般的に用いられているカーテンでは、遮光性とともに通気性を重視するために、開口部を左右のシートで閉塞している場合であっても、風などの影響で左右のシートが離反して通気が行われても支障はない。しかし、冷暖房効率の向上などを目的とするカーテンでは、閉塞性が重視され、通常使用時には左右のシートの端縁同士が容易に離反することがなく、それでいて出入り等の必要時には左右のシートの端縁同士を容易に離反させることができるように、左右のシートの端縁に磁石を設けたものが利用されている（たとえば、特許文献１参照。）。
【先行技術文献】
【特許文献】
【０００４】
【特許文献１】特開平９−１８７３６５号公報
【発明の概要】
【発明が解決しようとする課題】
【０００５】
ところが、左右のシートの端縁に磁石を設けたカーテンでは、各シートの端縁に磁石を上下に間隔をあけて点在させた場合には、風等の影響で磁石と磁石との間において左右のシートの端縁が離反して通気が行われてしまうおそれがある。
【０００６】
一方、各シートの端縁に上下に伸延させた１本の帯状の磁石を設けた場合には、左右のシートの端縁同士が強固に接合してしまい、出入り等の必要時に左右のシートの端縁同士を離反させて開口部を開放させることが困難となるおそれがある。
【課題を解決するための手段】
【０００７】
そこで、請求項１に係る本発明では、開口部に左右一対のシートを接離自在に設けて開口部を開閉可能とするためのカーテンにおいて、各シートの端縁に複数の上下に伸延させた棒状の磁石を上下に並べて配置するとともに、各シートの端縁を上下に並べた磁石の間で屈曲可能とし、左右のシートに設けた磁石の引力で左右のシートを接合させて開口部を閉塞することにした。
【０００８】
また、請求項２に係る本発明では、前記請求項１に係る本発明において、左右のシートに設けた磁石を、互いに対向させた平板部と、平板部に直交させた梁部とで断面Ｔ字状に形成することにした。
【０００９】
また、請求項３に係る本発明では、前記請求項１又は請求項２に係る本発明において、上下に並べた磁石の間に、シートを開放状態に固定する固定具に連結するための連結具を設けることにした。
【発明の効果】
【００１０】
そして、本発明では、以下に記載する効果を奏する。
【００１１】
すなわち、本発明では、開口部に左右一対のシートを接離自在に設けて開口部を開閉可能とするためのカーテンにおいて、各シートの端縁に複数の上下に伸延させた棒状の磁石を上下に並べて配置するとともに、各シートの端縁を上下に並べた磁石の間で屈曲可能とし、左右のシートに設けた磁石の引力で左右のシートを接合させて開口部を閉塞することにしているために、通常使用時には左右のシートの端縁同士を近接させて開口部を強固に閉塞することができるとともに、出入り等の必要時には左右のシートの端縁同士を離反させて開口部を容易に開放することができる。
【００１２】
特に、左右のシートに設けた磁石を、互いに対向させた平板部と、平板部に直交させた梁部とで断面Ｔ字状に形成した場合には、左右の磁石の接触面積が大きくなって互いの磁石の間に生じる引力を増大させることができるので、通常使用時に左右のシートの端縁同士で開口部を強固に閉塞することができ、また、磁石の強度を増大させることができるので、出入り等の必要時に左右のシートの端縁同士を繰返し離反させても磁石が破損することがなくカーテンの長寿命化を図ることができる。
【００１３】
また、上下に並べた磁石の間に、シートを開放状態に固定する固定具に連結するための連結具を設けた場合には、固定具と連結具とを連結することで上下に並べた磁石の間でシートの端縁を屈曲させた状態で開口部を開放させることができる。
【図面の簡単な説明】
【００１４】
【図１】本発明に係るカーテンの使用状態を示す正面説明図。
【図２】カーテンの正面図（ａ）、同拡大水平断面図（ｂ）、同拡大正面図（ｃ）。
【発明を実施するための形態】
【００１５】
以下に、本発明に係るカーテンの具体的な構成について図面を参照しながら説明する。
【００１６】
図１及び図２に示すように、カーテン１は、窓や出入口などの開口部２に開閉可能に取付けられている。
【００１７】
このカーテン１は、左右一対の縦長矩形状のシート3,4からなり、左側のシート３の右側上端部と右側のシート４の左側上端部とを接合（縫合）し、左右のシート3,4が互いに接離自在となっている。左側のシート３は、左端縁と上端縁を開口部２の枠体５に両面テープ等を用いて貼着している。右側のシート４は、右端縁と上端縁を開口部２の枠体５に両面テープ等を用いて貼着している。なお、各シート3,4は、縦長矩形状の透明ビニール製のシート本体6,7の周囲に袋帯状の布製の縁8,9を取付けている。
【００１８】
カーテン１は、左右のシート3,4の端縁に磁石10,11をそれぞれ設けて、互いの磁石10,11の引力で左右のシート3,4を閉塞した状態で保持するようにしている。左側のシート３は、右端縁に袋帯状の縁８で上下に連通する中空部12を形成し、中空部12に５本の上下に伸延させた棒状の磁石10を上下に間隔をあけて並べて収容して、上下に並べた磁石10,10の間でシート３の端縁を容易に屈曲可能とするとともに、磁石10の上下部分の縁８に雌型ボタンからなる連結具13を取付けて、磁石10が中空部12から落下するのを防止している。右側のシート４は、左端縁に袋帯状の縁９で上下に連通する中空部14を形成し、中空部14に５本の上下に伸延させた棒状の磁石11を上下に間隔をあけて並べて収容して、上下に並べた磁石11,11の間でシート４の端縁を容易に屈曲可能とするとともに、磁石11の上下部分の縁９に雌型ボタンからなる連結具15を取付けて、磁石11が中空部14から落下するのを防止している。
【００１９】
ここで、左側のシート３に設けた磁石10は、右側に平坦面を向けて形成した平板部16と、その平板部16と直交させた梁状の梁部17とで断面Ｔ字状に形成している。一方、右側のシート４に設けた磁石11は、左側に平坦面を向けて形成した平板部18と、その平板部18と直交させた梁状の梁部19とで断面Ｔ字状に形成している。そして、左側のシート３に設けた磁石10の平板部16と右側のシート４に設けた磁石11の平板部18とを互いに対向させた状態で、各磁石10,11を縁8,9に収容している。
【００２０】
さらに、カーテン１は、左右のシート3,4に各シート3,4をそれぞれ開放させた状態で固定するための固定具20,21を設けている。左側の固定具20は、ベルト22の基端部を上下回動自在に取付けるとともに、ベルト22の先端部に連結具13と連結する雄型ボタンからなる連結具23を取付けている。右側の固定具21は、ベルト24の基端部を上下回動自在に取付けるとともに、ベルト24の先端部に連結具15と連結する雄型ボタンからなる連結具25を取付けている。
【００２１】
カーテン１は、以上に説明したように構成しており、通常使用時には、左右のシート3,4の端縁に設けた磁石10,11の引力で左右のシート3,4を接合させて開口部２を閉塞した状態にする（図１参照。）。また、出入り等の必要時には、左右のシート3,4に設けた磁石10,11を互いに離反させる方向に移動して左右のシート3,4を離反させて開口部２を開放した状態にし、さらに、必要に応じて固定具20,21の連結具23,25と各シート3,4の連結具13,15とを連結させて、各シート3,4をそれぞれ開放させた状態に固定する（図２参照。）。
【００２２】
以上に説明したように、上記カーテン１は、開口部２に左右一対のシート3,4を接離自在に設けて開口部２を開閉可能としており、各シート3,4の端縁に複数の上下に伸延させた棒状の磁石10,11を上下に並べて配置するとともに、各シート3,4の端縁を上下に並べた磁石10,11の間で屈曲可能とし、左右のシート3,4に設けた磁石10,11の引力で左右のシート3,4を接合させて開口部２を閉塞するように構成している。
【００２３】
そのため、上記構成のカーテン１では、通常使用時には左右のシート3,4の端縁同士を近接させて開口部２を強固に閉塞することができるとともに、出入り等の必要時には左右のシート3,4の端縁同士を離反させて開口部２を容易に開放することができ、使い勝手を良好なものとすることができる。
【００２４】
また、上記カーテン１は、左右のシート3,4に設けた磁石10,11を、互いに対向させた平板部16,18と、平板部16,18に直交させた梁部17,19とで断面Ｔ字状に形成した構成としている。
【００２５】
そのため、上記構成のカーテン１では、左右の磁石10,11の接触面積が大きくなって互いの磁石10,11の間に生じる引力を増大させることができるので、通常使用時に左右のシート3,4の端縁同士で開口部２を強固に閉塞することができ、また、磁石10,11の強度を増大させることができるので、出入り等の必要時に左右のシート3,4の端縁同士を繰返し離反させても磁石10,11が破損することがなくカーテン１の長寿命化を図ることができる。
【００２６】
さらに、上記カーテン１は、上下に並べた磁石10,11の間に、シート3,4を開放状態に固定する固定具20,21に連結するための連結具13,15を設けた場合には、固定具20,21と連結具13,15とを連結することで上下に並べた磁石10,11の間でシート3,4の端縁を屈曲させた状態で開口部２を開放させることができ、これによっても使い勝手の向上を図ることができる。
【符号の説明】
【００２７】
１  カーテン                          ２  開口部
3,4  シート                           ５  枠体
6,7  シート本体                       8,9  縁
10,11  磁石                           12,14  中空部
13,15  連結具                         16,18  平板部
17,19  梁部                           20,21  固定具
22,24  ベルト                         23,25  連結具
【図１】
2014151011.tif 000003
【図２】
2014151011.tif 000004